(57)【要約】  毛髪切断装置のための切断ユニットが、複数の静止ブレード片を備える静止切断部材と、可動切断部材１０とを有している。該可動切断部材１０のベース板１２からは中央軸Ａに沿って複数の切断エレメント１１が延びている。可動切断部材１０の各切断エレメント１１はベース板１２に接続された第１幅Ｗ１の基端部１４と、ベース板１２から離れる方向に向いた第２幅Ｗ２の遠端部１６とを有している。基端部１４から遠端部１６まで第１側面１８及び第２側面２０が各々延びている。第１側面１８及び／又は第２側面２０は、各々、該第１側面１８及び／又は第２側面２０に沿って少なくとも部分的に延在する刃先２２を有している。遠端部１６の第２幅Ｗ２は基端部１４の第１幅Ｗ１よりも大きい。この構成は、毛髪をむしることのない改善された切断を可能にする。
2014532536.tif 000002
【特許請求の範囲】
【請求項１】
毛髪切断装置のための切断ユニットであって、
複数の静止ブレード片を有する静止切断部材と、
可動切断部材と、
を有し、
前記可動切断部材のベース板からは中央軸に沿って複数の切断エレメントが延び、
前記可動切断部材の各切断エレメントは前記ベース板に接続された第１幅の基端部と、該ベース板から離れる方向に向く第２幅の遠端部とを有し、
前記基端部から前記遠端部へは第１側面及び第２側面が各々延び、
前記第１側面及び／又は第２側面は、各々、該第１側面及び／又は第２側面に沿って少なくとも部分的に延びる刃先を有し、
前記遠端部の前記第２幅が前記基端部の前記第１幅より大きい、
切断ユニット。
【請求項２】
前記第１側面及び／又は第２側面は前記基端部に隣接する第１区域と、該第１区域及び前記遠端部に隣接する第２区域とを有し、該第１区域及び／又は第２区域の各々が少なくとも部分的に湾曲される請求項１に記載の切断ユニット。
【請求項３】
前記第１区域が前記中央軸に対して少なくとも部分的に実質的に平行に形成される請求項２に記載の切断ユニット。
【請求項４】
前記遠端部は少なくとも１つの切断エッジを有し、該少なくとも１つの切断エッジが前記ベース板から離れる方向に向いている請求項１ないし３の何れか一項に記載の切断ユニット。
【請求項５】
前記遠端部における前記切断エッジがＶ字状に形成される請求項４に記載の切断ユニット。
【請求項６】
前遠端部における前記切断エッジは凹部を有し、該凹部が当該遠端部の開口部から前記中央軸に沿って該凹部の底端まで延びる請求項４に記載の切断ユニット。
【請求項７】
前記切断エッジが前記凹部の底端において前記遠端部における該凹部の前記開口部より大きな幅を有する請求項６に記載の切断ユニット。
【請求項８】
前記切断エレメントが台形の形状、三角形の形状又は湾曲した形状の断面を有する請求項１ないし５の何れか一項に記載の切断ユニット。
【請求項９】
請求項１ないし８の何れか一項に記載の切断ユニットのための可動切断部材を製造する製造方法であって、
前記可動切断部材の素材を準備するステップと、
前記可動切断部材における前記切断エレメントの遠端部を冷間成形処理により拡幅するステップと、
前記可動切断部材における前記切断エレメントの第１側面及び／又は第２側面に刃先を研磨形成するステップと、
を有する製造方法。
【請求項１０】
前記遠端部に切断エッジを設けるステップと、該切断エッジを研磨するステップとを更に有する請求項９に記載の製造方法。
【請求項１１】
請求項１ないし８の何れか一項に記載の切断ユニットを備えた毛髪切断装置により毛髪を切断する方法であって、
複数の毛髪を、前記静止切断部材の静止ブレード片と前記可動切断部材における前記切断エレメントの第１側面及び／又は第２側面との間に捕捉するステップと、
前記可動切断部材における前記切断エレメントの第１側面及び／又は第２側面を、隣接する前記静止切断部材の対応する静止ブレード片に向かって移動させるステップと、
前記毛髪を傾斜剪断作用により切断するステップと、
を有し、
前記毛髪が、前記可動切断部材の第１側面及び／又は第２側面を辿ることにより該第１側面及び／又は第２側面の刃先に沿って滑動する方法。
【請求項１２】
前記可動切断部材における前記切断エレメントの遠端部の切断エッジにより毛髪を切断するステップを更に有する請求項１１に記載の方法。
【発明の詳細な説明】
【技術分野】
【０００１】
本発明は、毛髪切断装置の分野に係り、更に詳細には毛髪切断装置における切断ユニットの可動切断部材に関する。
【背景技術】
【０００２】
毛髪切断装置は、毛髪を切断する装置である。斯かる毛髪切断装置は、切断ユニットと、該切断ユニットを駆動する駆動手段とを有している。
【０００３】
通常、切断ユニットは２つの櫛状切断部材からなっている。一方の切断部材は静止切断部材で、ユーザの皮膚と接触する。他方の切断部材は可動切断部材であり、上記静止切断部材に隣接し且つ接触して配置される。可動切断部材は、静止切断部材に対して駆動運動させるための駆動手段に連結される。静止切断部材は皮膚の損傷を回避するために丸められた先端を有することができる。
【０００４】
上記駆動手段は、ペンチ状ハンドレバー、偏心又は振動アーマチャ駆動部を備える電気モータとすることができる。該駆動手段は、ハンドセットの一部とすることができ、高性能装置ではジョイント又は可撓性シャフト上でも見られる。
【０００５】
全ての毛髪切断装置からは、毛髪が量、緊張度、長さ、太さ及び形状に無関係に捕捉されると共に、切断中に可動切断部材を静止切断部材から持ち上げることなく切断されることが期待されるであろう。
【０００６】
ヨーロッパ特許第EP1894685号公報は、毛髪の捕捉を改善するために修正された可動切断部材を備えた毛髪切断装置を開示している。しがしながら、該ヨーロッパ特許は、毛髪を静止切断部材のブレード片と共に切断するための切断エレメントの量に基づいている。該ヨーロッパ特許において、上記修正された可動切断部材は２倍の量の切断エレメントを使用している。しかしながら、斯かる２倍の量の切断エレメントは毛髪切断装置の切断性能を満足に改善するものではない。
【０００７】
毛髪のための毛髪切断装置は重い負荷条件の下では引張が生じるという問題を有していることが知られている。上記重い負荷なる用語は、毛髪の最大の量、緊張度、長さ、太さ及び形状を表現している。引張は、毛髪をむしることにより痛みを発生しかねないので難題である。この効果に対する技量は、応用研究から並びに毛髪を刈る及びペットのクリッピングを行う専門家から知られている。毛髪のむしりを防止するために、高価で嵩張る強い駆動手段が設けられると共に、２つの切断プレートを押し合わせる非常に強いバネが設けられる。この結果、摩擦が生じるので、摩擦低減対策が必要とされる。
【発明の概要】
【発明が解決しようとする課題】
【０００８】
従って、本発明の目的は、毛髪のむしりの無い改善された毛髪の切断を行う切断ユニットを提供することである。
【課題を解決するための手段】
【０００９】
この目的は、毛髪切断装置のための切断ユニットにより達成され、該切断ユニットは、複数のブレード（刃先）片を備えた静止切断部材と、可動切断部材とを有し、該可動切断部材のベース板からは中央軸に沿って複数の切断エレメントが延び、該可動切断部材の各切断エレメントは上記ベース板に接続された第１幅の基端部と、該ベース板から離れる方向に向く第２幅の遠端部とを有し、上記基端部から上記遠端部へ第１側面及び第２側面が各々延び、該第１側面及び／又は第２側面は、各々、当該第１側面及び／又は第２側面に沿って少なくとも部分的に延びる刃先を有し、上記遠端部の第２幅は上記基端部の第１幅より大きい。上記静止切断部材は櫛状の形状を有することができ、複数のブレード片が該静止切断部材のベース板から延びることができる。上記可動切断部材も櫛状の形状を有することができ、複数の切断エレメントがベース板から平行に突出する。上記可動切断部材は上記静止切断部材上に、これら可動切断部材及び静止切断部材が互いに接触するように配置することができる。上記可動切断部材の各切断エレメントは当該ベース板に接続された基端部を有する一方、各切断エレメントは該ベース板から離れる方向に向いた遠端部を有する。更に、上記可動切断部材の各切断エレメントは、各々が上記基端部から遠端部まで延びる第１側面及び第２側面を有する。更に、上記可動切断部材の切断エレメントは、上記静止切断部材の静止ブレード片が配置される方向と同一の方向で配置することができる。上記静止切断部材のブレード片及び上記可動切断部材の切断エレメントは、該静止切断部材のブレード片及び該可動切断部材の対応する第１側面及び／又は第２側面が互いに隣接するように配置することができる。上記可動切断部材は、該可動切断部材の上記静止切断部材に対する駆動運動（特には、横方向運動）のために、例えば手動レバー又は電気モータ等の駆動手段に結合することができる。上記可動切断部材は振動（往復）運動で駆動することができ、その場合、該可動切断部材の切断エレメントは移動方向において上記静止切断部材の隣接する静止ブレード片に向かって及び該ブレード片を超えて移動される。該可動切断部材の移動の間において、毛髪は静止切断部材のブレード片と可動切断部材の第１側面及び／又は第２側面との間の間隙の間に捕捉され得る。可動切断部材の切断エレメントにおける第１側面及び／又は第２側面の刃先は、静止切断部材の対応するブレード片に向かって移動され得る。可動切断部材の切断エレメントが静止切断部材の対応するブレード片を越えて移動される際に、上記毛髪は切断される。可動切断部材の各切断エレメントは、前記基端部では第１幅を、前記遠端部では第２幅を有している。可動切断部材における各切断エレメントの基端部の第１幅は、各切断エレメントの、該切断エレメントが前記ベース板から突出する際の突出部の間の距離であり得る。可動切断部材における各切断エレメントの遠端部の第２幅は、該遠端部の幅である。上記第１側面及び／又は第２側面は少なくとも部分的に刃先を有することができる。該刃先は静止切断部材の隣接する静止ブレード片に向けることができる。毛髪は、上記切断エレメントを移動方向において隣接するブレード片に向かって横方向に移動させることにより切断される。
【００１０】
一実施態様によれば、前記第１側面及び／又は第２側面は前記基端部に隣接する第１区域と、該第１区域及び前記遠端部に隣接する第２区域とを有し、該第１区域及び／又は第２区域は少なくとも部分的に湾曲される。前記遠端部の第２幅は基端部に向かって上記第２区域が上記第１区域につながるまで減少することができる。該接続点において、第２区域の幅は第１区域の幅まで減少され得る。該第２幅の減少は、湾曲により達成することができる。湾曲された第２区域を設けることにより、捕捉された毛髪は第１側面及び／又は第２側面の湾曲に沿い第１区間に向かって滑ることができる。これにより、該毛髪は傾斜剪断作用により切断される。切断エレメントの鎌状の形状により、遠端部の第２幅は毛髪を捕捉することができる。静止切断部材に向かっての可動切断部材の移動の間において、毛髪は前記刃先に押し当てられる。毛髪は、滑動して第２区域における刃先の曲線を辿り、これにより更に当該切断エレメントの中央軸に向かって押しやられ、これにより該毛髪は傾斜剪断作用で切断される（これは、ナイフによりなされる切断に類似している）。各切断エレメントは遠端部において基端部におけるよりも大きな幅を有し、その場合、各切断エレメントは毛髪の切断を簡単にするような鎌状の形状を有することができる。
【００１１】
好ましい実施態様において、前記第１区域は前記中央軸に対して少なくとも部分的に実質的に平行に形成される。この構成は、毛髪が導かれ得る空間（余裕）を設けることにより毛髪の捕捉を改善する。前記遠端部の第２幅は毛髪を捕捉すると共に、該毛髪を第２区域の幅の減少による助けにより上記第１区域の部分的に実質的に平行な部分に向かって案内する。第１区域は第２幅より小さな幅を有しているので、毛髪は、静止切断部材のブレード片と当該可動切断部材の第１側面及び／又は第２側面との間の空間を離脱することができない。上記第２幅の一層大きな幅は、逃げ道を遮断する。
【００１２】
他の好ましい実施態様において、前記遠端部は少なくとも１つの切断エッジ（切断刃）を有し、これによれば、該少なくとも１つの切断エッジは前記ベース板から離れる方向を向く。この構成は、上記遠端部に更なる切断領域が設けられることになるので、切断性能を付加的に改善させ得る。これにより、前記切断エレメントの側面と、静止切断部材の該切断エレメントの移動方向において隣接する静止ブレード片との間に捕捉されないかも知れない毛髪を、当該切断部材が該切断部材の移動方向において静止切断部材の隣接するブレード片に向かって横方向に（特には、往復運動で）移動される際に、上記切断エッジにより切断することができる。
【００１３】
他の実施態様によれば、遠端部における上記切断エッジはＶ字状に、特にはＶ字状凹部として形成される。該Ｖ字状切断エッジの開口角は約１７０°であり得る。これにより、これら切断エッジの長さを増加させることができ、切断性能を改善することができる。該遠端部の切断エッジはＵ字状、楕円状又はスペード状に形成することもできる。これにより、該切断エッジの長さを増加させることができ、切断性能を改善することができる。
【００１４】
好ましい実施態様において、上記遠端部の切断エッジは凹部を有し、該凹部は当該遠端部の開口部から前記中央軸に沿って該凹部の底端（最低部）まで延びることでき、これによれば、上記開口部は当該遠端部における間隙である。上記切断エッジは、この凹部の辺上に形成することができる。追加の凹部を設けることにより、毛髪は該凹部の切断エッジに沿って滑ることができ、次いで該凹部内に捕捉され得る。毛髪は、該凹部の切断エッジにより傾斜剪断作用で切断され得る。当該凹部が移動方向における前記静止切断部材の隣接するブレード片に向かって移動される際に、毛髪は当該切断エッジに沿って滑動し、該毛髪は該凹部の切断エッジにより切断され得る。更に、該切断エッジの付加的な切断長を当該凹部により設けることができる。
【００１５】
他の実施態様によれば、当該凹部の底端は該凹部の遠端部における開口部よりも大きな幅を有することができる。これによれば、上記開口部の一層小さな幅により毛髪は切断される前に該開口から容易に離脱することはできないので、該凹部による毛髪の捕捉が改善され得る。
【００１６】
好ましい実施態様において、前記切断エレメントは台形、三角形又は湾曲した形状の断面を有する。これら切断エレメントは例えば平らな形状を有することができ、これによれば、該平らな形状は三角形に、特には台形に形成することができる。該台形は長底辺及び短底辺を有することができ、これによれば、該長底辺及び短底辺は互いに平行となる。これら長底辺及び短底辺は互いに辺により接続することができ、これら辺は前記第１側面及び第２側面であり得る。上記台形は、直角台形、等脚台形、平行四辺形又は特には対称台形とすることができる。当該台形の短底辺が湾曲された形状有し、該湾曲された形状が長底辺の方向に向かって形成されるようにすることも可能であり得る。前記刃先は、上記長底辺と第１側面及び／又は第２側面との間の接続部のエッジ（稜）に配置することができる。更に、他の例では、当該切断エレメントの断面は三角形の形状、特には二等辺三角形の形状を有することができる。該二等辺三角形の底角は、特には、約４５°の角度とすることができる。前記刃先は、斜辺（底辺）と第１側面及び／又は第２側面との間の接続部のエッジに配置することができる。他の例において、当該切断エレメントの断面は湾曲された形状を有することができ、これによれば、該湾曲された形状において、長接線角は特には約４５°の角度とすることができる。前記刃先は、当該湾曲形状の弦と円弧との間の接続部のエッジに配置することができる。台形の、三角形の又は湾曲され断面形状の切断エレメントを設けることにより、当該切断装置の切断を改善することができる。第１側面及び／又は第２側面は、毛髪が傾斜剪断過程において滑ることができる楔を形成することができる。該楔は、約４５°の一定の楔角を有することができる。これにより、切断性能が向上され得る。
【００１７】
本発明は、更に、切断ユニットのための可動切断部材を製造する製造方法に関するもので、該方法は、上記可動切断部材の素材を準備するステップと、該可動切断部材の切断エレメントの遠端部を冷間成形処理により拡幅するステップと、該可動切断部材の切断エレメントにおける第１側面及び／又は第２側面に刃先を研磨形成するステップとを有する。上記可動切断部材の素材は、切断により、焼結により、レーザ切断により、ダイキャストにより、フライス加工等により、特には圧印加工により製造することができる。該可動切断部材の素材は櫛状の形状を有することができ、上記切断エレメントの第２幅は第１幅と同一の幅又は第１幅より小さい幅を有する。順送り型（progressive die）及び統合された一直線に配列された冷間成形工程により、当該区域の遠端部は、第２幅が第１幅より大きな幅を有するまで該第２幅を増加させるために拡幅することができる。更に、前記遠端部を拡幅するために冷間成形処理を使用することにより、可動切断部材の、特には切断エレメントの刃先の耐食性が改善され得る。更に、拡幅処理のために可動切断部材を加熱する必要がなく、これにより、製造効率が向上され得る。何故なら、加熱のためのエネルギ、加熱のための費用、及び更なる製造段階の前の当該可動切断部材の冷却のための時間を節約することができるからである。更に、上記遠端部から基端部までの一定の楔角の形成は、例えば約４５°等の小さな量で可能となる。
【００１８】
他の実施態様によれば、当該製造方法は前記遠端部に切断エッジを設けるステップと、該切断エッジを研磨するステップとを更に有する。これら切断エッジは前記第２区域を拡幅する間に又は後の製造工程において形成することができる。これにより、毛髪を切断するための一層大きな切断長を設けることができる。オプションとして、当該毛髪切断装置の組み立てられた状態において前記静止切断部材に対面する表面は、特には研磨により、平坦化することができる。
【００１９】
本発明は、更に、切断ユニットを備えた毛髪切断装置により毛髪を切断する方法にも関するもので、該方法は、複数の毛髪を静止切断部材の静止ブレード片と可動切断部材の切断エレメントにおける第１側面及び／又は第２側面との間に捕捉するステップと、上記可動切断部材の切断エレメントの第１側面及び／又は第２側面を、隣接する上記静止切断部材の対応する静止ブレード片に向かって移動させるステップと、上記毛髪を傾斜剪断作用により切断するステップとを有し、その場合において、上記毛髪は上記可動切断部材の第１側面及び／又は第２側面を辿ることにより該第１側面及び／又は第２側面の刃先に沿って滑る。上記可動切断部材の切断エレメントにおける第１側面及び／又は第２側面が移動方向において上記静止切断部材の隣接する静止刃先に向かって移動する際に、毛髪は例えば鎌状の第２区域により捕捉される。上記可動切断部材は、該可動切断部材の前記静止切断部材に対する駆動運動のために（特には、横方向運動のために）例えば手動レバー又は電気モータ等の駆動手段に連結することができる。上記可動切断部材は往復運動で駆動することができる。これにより、該可動切断部材の切断エレメントは、移動方向における前記静止切断部材の隣接するブレード片に向かって移動されると共に該ブレード片を超えて移動される。これにより、毛髪は傾斜剪断動作で切断される。上記切断エレメントの鎌状の形状により、遠端部の第２幅が毛髪を捕らえることができる。可動切断部材の静止切断部材に向かう移動の間に、毛髪は刃先に押圧される。毛髪は、第２区域における刃先の曲線に沿って滑動して辿り、これにより、当該切断エレメントの中央軸に向かって更に押しつけられ、かくして傾斜剪断作用により切断される（これは、ナイフによりなされる切断と類似する）。
【００２０】
他の実施態様によれば、毛髪を切断する上記方法は、上記可動切断部材における切断エレメントの遠端部の切断エッジにより毛髪を切断する更なるステップを有する。これによれば、毛髪は傾斜剪断作用で切断される。毛髪は、上記遠端部の切断エッジにより捕捉される。毛髪は、該切断エッジが移動方向における前記静止切断部材の隣接する静止ブレード片に向かって移動される際に上記遠端部の切断エッジに沿って滑動する。これにより、これら切断エッジが更なる切断長をもたらすので、切断性能が向上される。
【００２１】
本発明の上記及び他の態様は、後述される実施態様から明らかとなり、これら実施態様を参照して解説されるであろう。
【図面の簡単な説明】
【００２２】
【図１】図１は、可動切断部材の２つの切断エレメントの詳細図を示す。
【図２】図２は、傾斜剪断作用が描かれた解説図を示す。
【図３】図３は、本発明の他の実施態様による可動切断部材の２つの切断エレメントの詳細図を示す。
【図４】図４は、本発明の他の実施態様による可動切断部材の切断エレメントの詳細図を示す。
【図５ａ】図５ａは、図１におけるＣ−Ｃ切断線に沿う或る断面の簡略化された図を示す。
【図５ｂ】図５ｂは、図１におけるＣ−Ｃ切断線に沿う他の断面の簡略化された図を示す。
【図５ｃ】図５ｃは、図１におけるＣ−Ｃ切断線に沿う他の断面の簡略化された図を示す。
【図５ｄ】図５ｄは、図１におけるＣ−Ｃ切断線に沿う他の断面の簡略化された図を示す。
【発明を実施するための形態】
【００２３】
図１は、毛髪切断装置（図示略）の切断ユニット（図示略）における可動切断部材１０の２つの切断エレメント１１の詳細図を示している。可動切断部材１０は櫛状の形状を有し、複数の切断エレメント１１がベース板１２から突出している。各切断エレメント１１は基端部１４を有し、該基端部はベース板１２に接続されている。切断エレメント１１の基端部１４の反対側には遠端部１６が存在し、該遠端部はベース板１２から離れる方向に向いている。図１に示されるように、遠端部１６は第２幅Ｗ２を有し、該第２幅は基端部１４の第１幅Ｗ１より大きな幅である。上記可動切断部材の各切断エレメント１１の基端部１４における第１幅Ｗ１は、各切断エレメント１１がベース板１２から突出する際の当該切断エレメント１１の突出部の間の距離を有する。該可動切断部材における各切断エレメントの遠端部１６の第２幅Ｗ２は、当該切断エレメント１６の幅である。遠端部１６の第２幅Ｗ２は冷間成形処理により形成することができる。切断エレメント１１は第１側面１８及び第２側面２０を有している。第１側面１８及び第２側面２０は基端部１４から遠端部１６に向かって延びている。更に、第１側面１８及び第２側面２０は、各々、当該側面上に形成された刃先２２を少なくとも部分的に有し、従って切断エレメント１１は毛髪を切断することができる。切断エレメント１１は、基端部１４に隣接する第１区域４０、並びに該第１区域４０及び遠端部１６に隣接する第２区域４２を有している。更に、第１区域４０及び第２区域４２は少なくとも部分的に湾曲されている。第１側面１８及び第２側面２０は、基端部１４のベース板１２との接続部に径を有している。
【００２４】
第１区域４０の第１側面１８及び第２側面２０は、基端部１４から中央軸Ａに部分的に実質的に平行に開始する。第１区域４０と第２区域４２との間の接続部において、当該幅は、第１側面１８及び第２側面２０が遠端部１６に接続されるまで、中央軸Ａに対して傾斜されるように越えて行く。図１に示されるように、第２区域４２の第１側面１８及び第２側面２０は、上記中央軸に対して傾斜されるように曲線で延びている。
【００２５】
遠端部１６に第２幅Ｗ２を設けることにより、第１区域４０と第２区域４２との間の接続部と、該遠端部１６との間の間隔には鎌状の形状が設けられることになる。このことは、毛髪切断過程の間における毛髪の捕捉を改善する。更に、第２区域４２における第１側面１８及び第２側面２０に曲線を設けることにより、刃先２２の曲線に沿った毛髪の均一な動きが達成され得る。毛髪が可動切断部材により静止切断部材（図示略）に向かって移動される場合、該毛髪は傾斜剪断作用で切断される。主たる原理は、毛髪を多数の鎌により捕捉することである。このようにして捕捉された毛髪は切断領域を離脱することがなく、毛髪を切断する効率は、通常の毛髪切断装置の通常の切断エレメントを備える切断部材よりも改善され得る。この傾斜剪断作用は、毛髪２６が例えばナイフ２４等の真っ直ぐな刃２８で切断され得る方法により説明することができる。
【００２６】
図２は、ナイフ２４による傾斜切断の原理の解説図を示す。物体２６をナイフ２４の相対運動で切断することが可能である。物体２６は、該物体２６の長手方向に直行する剪断運動なしで切断され、これによれば、該物体２６は長手方向に僅かに移動され得る。図２のａ）において、物体２６は、該物体２６が実質的に自身の長手方向を伴って配置される水平面Ｂに、例えばユーザの手（図示略）により固定される。ナイフ２４の刃２８は、物体２６に押し当てられ、矢印３０の方向に引き下げられる。図２のｂ）において、物体２６は依然として水平面Ｂに固定され、移動されないことが分かる。ナイフ２４は矢印３０の方向に移動され、刃２８の半分が物体２６の半分を既に切り裂いている。図２のｃ）において、物体２６は依然として面Ｂに固定されており、ナイフ２４の刃２８は物体２８を切り裂いている。この原理は、本発明の前記切断エレメントの一実施態様に移転することができる。前記切断エレメント１１の鎌状の形状により、遠端部１６における第２幅Ｗ２は毛髪を捕捉することができる。前記可動切断部材の切断エレメントの、前記静止切断部材の該切断エレメントの移動方向において隣接する静止ブレード片に向かう移動の間において、毛髪は刃先２２に押し当てられる。該毛髪は前記第２区域における刃先２２の曲線に沿い滑動して辿り、これによって、当該切断エレメント１１の中央軸Ａに向かって更に押され、これにより、引きナイフ２４の切断がなされる。
【００２７】
図３は本発明の他の実施態様を示す。切断エレメント１１は遠端部１６に凹部として形成された切断エッジ３２を有している。図３の切断エッジ３２はＶ字状に形成されている。遠端部１６に切断エッジ３２を設けることにより、切断作用の効率を更に向上させ、従って引張のリスクを低減することが可能になる。
【００２８】
図４は切断エレメント１１の遠端部１６における切断エッジ３２の他の例を示す。該切断エッジ３２は凹部３６であり、底端３４に開口部３６より大きな幅を有している。開口部３８において凹部３６の幅を一層小さくすることにより、効率を更に改善することが可能になる。何故なら、毛髪は鎌状の開口部３８により捕捉され、次いで切断エッジ３２に沿って底端３４に向かって下方に滑動し得るからである。
【００２９】
図５ａ〜５ｄは、図１の切断エレメント１１の断面を示す。図１の切断エレメント１１は切断線Ｃ−Ｃに沿って切断されている。図５ａ〜５ｄにおける詳細図は簡略化されており、切断エレメント１１の遠端部１６が拡幅される前の当該切断部材１０の素材（図示略）における切断エレメント１１と同一の形状を有する該切断エレメント１１の第１区域４０の断面のみを示している。更に、刃先２２は第１側面１８及び／又は第２側面２０上に研磨形成することができる。
【００３０】
図５ａにおいて、切断エレメント１１の断面は台形の形状、特には対称な台形の形状を有している。該切断エレメント１１は長底辺４４及び短底辺４６を有し、これら底辺は互いに平行である。長底辺４４及び短底辺４６は中央軸Ｄに沿う方向に互いに隔てられている。該台形状切断エレメント１１は、長底辺４４を短底辺４６に接続する辺を有している。これら辺は切断エレメント１１の第１側面１８及び第２側面２０である。切断エレメント１１は刃先２２を有することができ、これら刃先は上記長底辺と第１側面１８及び／又は第２側面２０との間の接続部に配設することができる。
【００３１】
図５ｂにおいて、切断エレメント１１の断面は台形の形状、特には対称な台形の形状を有している。該切断エレメント１１は長底辺４４及び短底辺４６を有し、これら底辺は互いに平行である。長底辺４４及び短底辺４６は中央軸Ｄに沿う方向に互いに隔てられている。該台形状切断エレメント１１は、長底辺４４を短底辺４６に接続する辺を有している。これら辺は切断エレメント１１の第１側面１８及び第２側面２０である。更に、短底辺４６は、長底辺４４に向かって湾曲された形状を有している。切断エレメント１１は刃先２２を有することができ、これら刃先は上記長底辺と第１側面１８及び／又は第２側面２０との間の接続部に配設することができる。
【００３２】
図５ｃにおいて、当該切断エレメントの断面は三角形の形状、特には二等辺三角形の形状を有し、これによれば、斜辺（底辺）４８は２つの隣辺よりも長くすることができる。これら２つの隣辺は当該切断エレメント１１の第１側面１８及び第２側面２０である。該切断エレメント１１の断面の二等辺三角形の形状は、特には約４５°の底角を有することができる。該切断エレメント１１は刃先２２を有することができ、これら刃先は上記斜辺と第１側面１８及び／又は第２側面２０との間の接続部に配設することができる。
【００３３】
図５ｄにおいて、切断エレメント１１の断面は湾曲された形状を有し、該切断エレメント１１の断面の該湾曲された形状において長接線角は特には約４５°の角度とすることができる。該切断エレメント１１は刃先２２を有することができ、これら刃先は、当該切断エレメント１１の湾曲された形状の弦５０と円弧５２との間の接続部のエッジに配設することができる。
【００３４】
切断エレメント１１に台形、三角形又は湾曲された形状の断面を付与することにより、当該切断装置の切断が改善される。第１側面１８及び／又は第２側面２０は、毛髪が傾斜剪断過程で滑動し得る楔を形成することができ、これによれば、該楔は約４５°の楔角を有することができる。これにより、切断性能が向上され得る。
【００３５】
以上、本発明を図面及び上記記載において詳細に図示及び説明したが、斯かる図示及び説明は解説的又は例示的なものであって限定するものではないと見なされるべきである。即ち、本発明は開示された実施態様に限定されるものではない。開示された実施態様に対する他の変形例は、当業者によれば、請求項に記載された本発明を実施するに際して、当該図面、開示及び添付請求項の精査から理解し、実施化することができる。請求項において、“有する”なる文言は他の構成要素又はステップを排除するものではなく、単数形は複数を排除するものではない。特定の手段が相互に異なる従属請求項に記載されているという単なる事実は、これら手段の組み合わせが有利に使用することができないことを示すものではない。請求項における如何なる符号も、当該範囲を限定するものと見なしてはならない。
【符号の説明】
【００３６】
１０  可動切断部材
１１  切断エレメント
１２  ベース板
１４  基端部
１６  遠端部
１８  第１側面
２０  第２側面
２２  刃先
２４  ナイフ
２６  物体
２８  刃
３０  矢印
３２  切断エッジ
３４  底端
３６  凹部
３８  開口部
４０  第１区域
４２  第２区域
４４  長底辺
４６  短底辺
４８  斜辺（底辺）
５０  弦
５２  円弧
Ａ    中央軸
Ｂ    水平面
Ｃ    切断線
Ｄ    中央軸
Ｗ１  第１幅
Ｗ２  第２幅
【図１】
2014532536.tif 000003
【図２】
2014532536.tif 000004
【図３】
2014532536.tif 000005
【図４】
2014532536.tif 000006
【図５ａ】
2014532536.tif 000007
【図５ｂ】
2014532536.tif 000008
【図５ｃ】
2014532536.tif 000009
【図５ｄ】
2014532536.tif 000010
【国際調査報告】
2014532536.tif 000011
2014532536.tif 000012
2014532536.tif 000013